(57)【要約】【課題】初期出火における小火を消火するにあたり、消火具をより取り扱いやすいものとし、消火による出火箇所以外の汚損を防ぎ、また、小火を消すことに対する費用対効果を高める。【解決手段】手動式スプレー容器２に液体消火薬剤Ｌを入れた簡易消火具１である。【選択図】図１
2017051472.tif 000002
【特許請求の範囲】
【請求項１】
手動式スプレー容器に液体消火薬剤を入れた簡易消火具。
【請求項２】
前記液体消火薬剤は浸潤剤を含むことを特徴とする請求項１に記載の簡易消火具。
【請求項３】
前記液体消火薬剤は中性である請求項１または２に記載の簡易消火具。
【請求項４】
前記トリガー式スプレー容器のベースキャップを接着剤で容器本体に固定した請求項１または２または３に記載の簡易消火具。
【発明の詳細な説明】
【技術分野】
【０００１】
本発明は、初期火災時に消火のために用いられる簡易的な消火具に関する。
【背景技術】
【０００２】
家庭、オフィス及び工場等で火災が発生した場合に、人が持ち運んで初期火災を消火するための道具としては、例えば、粉末等を放出する消火器がある（例えば、特許文献１参照）。
【先行技術文献】
【特許文献】
【０００３】
【特許文献１】特開平８−１９１９０３
【発明の概要】
【発明が解決しようとする課題】
【０００４】
しかし、粉末消火器や泡消火器は、短時間使用しただけでも大量の消火薬剤が放出されるため、出火箇所のみならずその周囲が広範囲に汚損される。そのため、小火を消す目的に対して被る損害が大きくなってしまう。
【０００５】
炭酸ガス消火器は、粉末消火器や泡消火器のように出火箇所の周囲を広範囲に汚損することはないが、容器に高圧の液化ガスを充填する必要があるため、本体が大きくかつ重量のあるものとなる。そのため、使用時における取り回しが難しくなり、また、保管のための場所が広くとられることになる。
【０００６】
さらに、粉末・泡消火器及び炭酸ガス消火器は、一度使用すると、使用後に容器内に消火薬剤が残存していても本体ごと交換する必要があり、小火を消すことに関する費用対効果が低い。また、これらの消火器は一般ごみとしては処理できず、法令に従い廃棄・リサイクルを行う必要があるため、使用後に手間がかかる。
【０００７】
また、蓄圧式の粉末・泡消火器、炭酸ガス消火器又はエアゾール式簡易消火具は、容器内に圧縮された空気等の圧力または充填された消火ガスそのものの圧力により消火薬剤が放出されるため、容器内部に常時圧力がかかった状態となっている。そのため、例えば、定められている使用期限を超えていたり、野外に雨ざらしで放置されているなどの不適切な管理状況にあったりすると、容器が腐食・破損することで内部の圧力が下がり、火災発生時に消火薬剤を放出する圧力が得られず消火能力を十分に発揮できない場合がある。また、破裂事故が起きるおそれもある。
【０００８】
ガス容器の作動、化学反応または手動ポンプの操作により生じる圧力により消火薬剤を放出する加圧式消火器においては、不適切な管理状況にあったものを使用した場合に、瞬時に上昇した内圧によって容器が破損し、その反動で跳ね上がった容器が使用者にぶつかる等の事故が起きるおそれがある。
【０００９】
よって、消火具を用いて初期火災における小火を消火するにあたり、消火具をより安全で取り扱いやすいものとし、消火具の消火による出火箇所以外の汚損を防ぎ、また、小火を消すことに関する費用対効果を高めるという課題がある。
【課題を解決するための手段】
【００１０】
上記課題を解決するための本発明は、手動式スプレー容器に液体消火薬剤を入れた簡易消火具である。
【００１１】
前記液体消火薬剤は浸潤剤を成分として含むことが好ましい。
【００１２】
前記液体消火薬剤は中性であると好ましい。
【００１３】
さらに、前記手動式スプレー容器のベースキャップは接着剤で容器本体に固定されていると好ましい。
【発明の効果】
【００１４】
本発明に係る簡易消火具は、手動式スプレー容器に液体消火薬剤を入れて構成されている。そのため、小火が発生している箇所に対して手動操作だけで消火薬剤を出火箇所に集中的に放出できるため、消火により出火箇所以外を広範囲に汚損させることがない。また、容器本体を安価かつ軽量で小型化することで、保管場所を広くとらず、また、使用後の廃棄も容易であり、小火を消すという目的に対する費用対効果を高めることができる。さらに、保管時及び使用時において、容器内に圧力がかかることがないことから、安全に保管及び使用することが可能となる。
【００１５】
容器に収容される液体消火薬剤に浸潤剤を成分として含ませることによって、消火対象の深部にまで消火液を良く浸透させることができ、消火効果をより高めることができる。
【００１６】
また、容器に収容される液体消火薬剤を中性とすることで、使用時及び廃棄時において使用者が液体消火薬剤に触れることがあっても、使用者の安全が保たれる。
【００１７】
さらに、手動式スプレー容器のベースキャップが接着剤で容器本体に固定されていることで、例えば幼児が誤って目や口に液体消火薬剤を入れる等の本来の用途から外れた使用を防ぐことが可能となる。
【図面の簡単な説明】
【００１８】
【図１】簡易消火具の一例を示す一部が透過されている側面図である。
【発明を実施するための形態】
【００１９】
図１に示す簡易消火具１は、初期火災における小火を消火するために用いられる消火具であり、手動式スプレー容器２に浸潤剤入りの液体消火薬剤Ｌを収容した構成となっている。
【００２０】
手動式スプレー容器２は、例えば、内容液である液体消火薬剤Ｌを収容する容器本体３と、操作トリガー４２を押し込み操作することにより、液体消火薬剤Ｌをノズル部材４３から外部へ噴射させるトリガー式スプレーヤー４とを備えている。
【００２１】
容器本体３は、例えば、ポリプロピレン等のプラスチック製の容器であり、収容する液体消火薬剤Ｌに対する耐食性を有していると好ましい。容器本体３の上部に設けられている口部３０は、例えば、トリガー式スプレーヤー４を嵌着させることができるように構成されている。なお、口部３０は、例えばその外側面または内側面にネジが配設されていることで、トリガー式スプレーヤー４を螺着させることができるように構成されていてもよい。
【００２２】
簡易消火具１においては、例えば、容器本体３をプラスチック等からなるものとすることで、安価に製造できるものとし、かつ、使用後に一般ごみとして処理できるようにすることで、小火を消すことに関する費用対効果を高めることが可能となる。
【００２３】
トリガー式スプレーヤー４は、例えば、容器本体３に組み付けるベースキャップ４０と、ベースキャップ４０に接続されたスプレー基体４１と、押し込み操作が可能な操作トリガー４２と、液体消火薬剤Ｌの噴射口となるノズル部材４３とを備えている。
【００２４】
例えば、簡易消火具１は、その組み立て時において、液体消火薬剤Ｌが収容された容器本体３の収容口部３０にベースキャップ４０が嵌着される際に、口部３０の外側面に塗布された接着剤によって、口部３０に嵌着された状態でベースキャップ４０が固定される構成としてもよい。
【００２５】
簡易消火具１においては、手動式スプレー容器２のベースキャップ４０を接着剤で容器本体３に固定することで、例えば、幼児が誤って目や口に液体消火薬剤Ｌを入れる等の本来の用途から外れた使用を防ぐことが可能となる。
【００２６】
スプレー基体４１は、例えば、ベースキャップ４０上に一体となった形で配設されており、ピストン部４１０とポンプ部４１１とを備えている。また、スプレー基体４１には、操作トリガー４２が押し込み操作を可能に取着されている。ピストン部４１０は、操作トリガー４２によって作動されるようになっており、ポンプ部４１１と一体となって形成されたシリンダー４１２内を摺動可能となっている。ポンプ部４１１は吸い上げチューブ４４を介して容器本体３と連通しており、吸い上げチューブ４４は容器本体３の容器内底部付近にまで延在している。
【００２７】
ノズル部材４３はスプレー基体４１の先端に配設されており、スプレー基体４１に内蔵された噴射管４３０を介してポンプ部４１１及びシリンダー４１２と連通している。また、ノズル部材４３は矢印Ｒ方向に回転可能となっている。使用者が外周壁４３１を把持し、ノズル部材４３を回転させることによって、スプレー基体４１内の噴射管４３０と、ノズル部材４３内の流路とを接続（遮断）し、液体消火薬剤Ｌの噴射（霧状又は直射）が可能な状態とロックされている状態とを切り替えることができる。
【００２８】
操作トリガー４２は、ピストン部４１０を図示しない圧縮バネに抗してポンプ部４１１に押し込み操作可能にする。
【００２９】
容器本体３に収容されている液体消火薬剤Ｌは、主成分である水と、第一リン安（ＭＡＰ）、第二リン安（ＤＡＰ）及び硫安（硫酸アンモニウム）からなる浸潤剤と、添加剤であり凝固点を降下させるためのエチレングリコールとを混合したものである。以下に、液体消火薬剤Ｌ１００ｋｇを構成する各成分の配合質量の比率（質量％）の一例を示す。
主成分：水・・・・・・・・・・８６．８質量％
浸潤剤：
第一リン安・・・・・・・０．３質量％
第二リン安・・・・・・・１．８質量％
硫安・・・・・・・・・・８．１質量％
添加剤：エチレングリコール・・・３．０質量％
【００３０】
以下に、図１に示す簡易消火具１を用いて小火を消火する場合の、簡易消火具１の動作について説明する。
【００３１】
小火が発生した場合（例えば、タバコの火の不始末）には、まず、使用者が簡易消火具１を保持して火元まで運ぶ。次いで、火元に対してノズル部材４３を向ける。また、ノズル部材４３を回転させて、液体消火薬剤Ｌの噴射が可能な状態に簡易消火具１をセットする。
【００３２】
操作トリガー４２を押し込み操作することで、ピストン部４１０が押し込まれ、ポンプ部４１１及びシリンダー４１２内の液体消火薬剤Ｌが、所定量だけ噴射管４３０を通りノズル部材４３から前方に向けて噴射され、火元の小火が消火される。
【００３３】
簡易消火具１においては、手動式スプレー容器２自体が小型で軽量なものであることから、使用時の取り回しが良くなる。
【００３４】
一度の液体消火薬剤Ｌの噴射で消火が完了しない場合には、使用者が、操作トリガー４２の押し込み操作を解除する。すると、ピストン部４１０が図示しない圧縮バネにより原位置に戻され、ポンプ部４１１に負圧が作用し、容器本体３内の液体消火薬剤Ｌが吸い上げチューブ４４を介してポンプ部４１１及びシリンダー４１２内に吸引される。その後、再度操作トリガー４２の押し込み操作を行うことで、消火に必要な分の液体消火薬剤Ｌを噴射することが可能となる。
【００３５】
簡易消火具１においては、小火が発生している火元に対して、消火に必要な分だけの液体消火薬剤Ｌを集中的に噴射できることから、消火による火元以外の汚損が発生せず、小火を消火するという目的に対する費用対効果も高い。
【００３６】
本実施形態における液体消火薬剤Ｌは、主成分である水の割合が８割を超えており、第一リン安の配合割合が０．３質量％と小さく、かつ硫安の配合割合も１割に満たない。したがって、液体消火薬剤ＬのｐＨは６．０以上８．０以下に保たれており、液体消火薬剤Ｌは中性となっている。よって、消火時に、例えば、使用者の皮膚等に液体消火薬剤Ｌが付着した場合であっても、使用者に特段の危険が及ぶことはない。また、液体消火薬剤Ｌは、第一リン安（ＭＡＰ）、第二リン安（ＤＡＰ）及び硫安（硫酸アンモニウム）からなる浸潤剤が混合されていることで、消火対象（例えば、セルロース系の素材からなる家財道具等）の深部にまで液体消火薬剤Ｌを浸透させることができ、消火効果を高めることができる。
【００３７】
消火が完了した後は、使用者が簡易消火具１を保管場所に保管するが、簡易消火具１は小型であることから、保管場所を広くとらずに済む。
【００３８】
なお、本発明に係る簡易消火具１は上記実施形態に限定されるものではなく、また、添付図面に図示されている各構成の大きさや形状等及び液体消火薬剤Ｌの配合比率についても、これに限定されず、本発明の効果を発揮できる範囲内で適宜変更可能である。例えば、スプレー基体４１の先端に簡易的なチューブを接続可能とし、ノズル部材４３をこのチューブと連通可能なパイプ状に形成することで、出火が狭い隙間で発生した場合においても、出火箇所に対して集中的に液体消火薬剤Ｌを噴射できるように構成してもよい。また、トリガー式スプレーヤー４の代わりに、プッシュボタンを備えるボタン式スプレーヤーを備える構成としてもよい。
【符号の説明】
【００３９】
１：簡易消火具
２：手動式スプレー容器
３：容器本体  ３０：口部
４：トリガー式スプレーヤー  ４０：ベースキャップ  
４１：スプレー基体  ４１０：ピストン部  ４１１：ポンプ部  ４１２：シリンダー
４２：操作トリガー
４３：ノズル部材  ４３０：噴射管  ４３１：外周壁
４４：吸い上げチューブ
Ｌ：液体消火薬剤
【図１】
2017051472.tif 000003